(57)【要約】【課題】モニタのグランドラインを的確に確保することができるモニタ装置を提供する。【解決手段】モニタ４が移動中または突出位置にあるときは、装置本体２内のメインシャーシ６とスライド部材５との間を電気的に接続せず、モニタ４が視聴位置にあるときに、装置本体２内の構造物を収容する導電性のメインシャーシ６とスライド部材５との間を電気的に接続する板バネ部１２ｂを備える。【選択図】図７
2015145219.tif 000002
【特許請求の範囲】
【請求項１】
装置本体の前面から出入り自在にスライドする導電性のスライド部材と、前記スライド部材に取り付けられてグランドが電気的に接続されたモニタとを備え、
前記モニタが、前記スライド部材のスライドに応じて前記装置本体の一面に配置される視聴位置と傾動しながら前記装置本体の前面から前方に突出した突出位置との間で移動可能なモニタ装置において、
前記モニタが移動中または前記突出位置にあるときは、前記装置本体内の構造物を収容する導電性のシャーシ部材と前記スライド部材との間を電気的に接続せず、前記モニタが前記視聴位置にあるときに、前記シャーシ部材と前記スライド部材との間を電気的に接続する接地部材を備えたことを特徴とするモニタ装置。
【請求項２】
前記接地部材は、前記シャーシ部材が収容する構造物に設けられ、前記モニタが前記視聴位置にあるときに、前記シャーシ部材と前記スライド部材との双方に当接する導電性の板バネ部材であることを特徴とする請求項１記載のモニタ装置。
【請求項３】
前記接地部材は、前記シャーシ部材に設けられ、前記モニタが前記視聴位置にあるときに前記スライド部材に当接する板バネ部材であることを特徴とする請求項１記載のモニタ装置。
【請求項４】
前記接地部材は、前記スライド部材に設けられ、前記モニタが前記視聴位置にあるときに前記シャーシ部材に当接する板バネ部材であることを特徴とする請求項１記載のモニタ装置。
【発明の詳細な説明】
【技術分野】
【０００１】
この発明は、モニタが傾動可能なモニタ装置に関する。
【背景技術】
【０００２】
オーディオ機器やカーナビゲーション装置といった車載機器において、モニタを傾けることができるものが提供されている。例えば、モニタを傾けることにより、その背面に隠れていたディスクの挿入口が現われ、モニタを元に戻すことによりモニタの背面に挿入口が隠れるといった構造のものがあげられる。また、前述のモニタ装置は、モニタに電気的ノイズが発生する可能性がある。
【０００３】
そこで、特許文献１に開示されるモニタ装置においては、モニタの内部構成を収納する板金製のモニタシャーシを、前後方向にスライドしてモニタを傾動させるスライド部材に電気的に接続し、このスライド部材に取り付けた板バネをモニタ装置の本体部を収容するメインシャーシに接触させている。これにより、モニタシャーシがメインシャーシと導通し、接地電位となる。
【先行技術文献】
【特許文献】
【０００４】
【特許文献１】特開２００４−２７３１７３号公報
【発明の概要】
【発明が解決しようとする課題】
【０００５】
従来のモニタ装置では、モニタシャーシを接地させる板バネがスライド部材に取り付けられており、スライド部材のスライドに応じて板バネもメインシャーシに接触した状態でスライドする。この構造では、板バネの先端部がメインシャーシに擦れて異音が発生しないように対処する必要がある。このため、従来では、板バネとメインシャーシとの接点にグリスなどの潤滑剤を塗布していた。
しかしながら、グリスを塗布する場合、グリス塗布量のばらつきや、板バネの先端部とメインシャーシとの間にグリスの油分などが入り込むことで、板バネとメインシャーシとの接触が不安定になりやすく、安定したグランドラインの確保が困難であるという課題があった。
【０００６】
一方、特許文献１では、表面層を破断させた破断部に接点を設けることにより、接点が粗い面で擦れることを防止し異音の発生を抑制している。しかしながら、部材の平面精度などの関係上、滑らかな面のみで接触させ続けることは難しく、接点の移動に際して異音の発生を完全に抑えることはできない。このため、特許文献１の構成においても、少なからず潤滑剤を塗布する必要がある。
【０００７】
この発明は、上記のような課題を解決するためになされたもので、モニタのグランドラインを的確に確保することができるモニタ装置を得ることを目的とする。
【課題を解決するための手段】
【０００８】
この発明に係るモニタ装置は、装置本体の前面から出入り自在にスライドする導電性のスライド部材と、スライド部材に取り付けられてグランドが電気的に接続されたモニタとを備え、モニタが、スライド部材のスライドに応じて装置本体の前面に配置される視聴位置と傾動しながら装置本体の前面から前方に突出した突出位置との間で移動可能なモニタ装置において、モニタが移動中または突出位置にあるときは、装置本体内の構造物を収容する導電性のシャーシ部材とスライド部材との間を電気的に接続せず、モニタが視聴位置にあるときに、シャーシ部材とスライド部材との間を電気的に接続する接地部材を備えたことを特徴とする。
【発明の効果】
【０００９】
この発明によれば、モニタのグランドラインを的確に確保することができるという効果がある。
【図面の簡単な説明】
【００１０】
【図１】この発明の実施の形態１に係るモニタ装置を示す斜視図である。
【図２】実施の形態１に係るモニタ装置におけるモニタ移動機構の構成（モニタは突出位置）を示す斜視図である。
【図３】図２のモニタ装置の側面図である。
【図４】実施の形態１に係るモニタ装置におけるモニタ移動機構の構成（モニタは視聴位置）を示す斜視図である。
【図５】メインシャーシ上に設置されるモータユニットを示す斜視図である。
【図６】モニタが突出位置にあるときの接地用板バネを示す斜視図である。
【図７】モニタが視聴位置にあるときの接地用板バネを示す斜視図である。
【図８】この発明の実施の形態２に係るモニタ装置におけるモニタ移動機構の構成を概略的に示す図である。
【図９】この発明の実施の形態３に係るモニタ装置におけるモニタ移動機構の構成を概略的に示す図である。
【発明を実施するための形態】
【００１１】
実施の形態１．
図１は、この発明の実施の形態１に係るモニタ装置を示す斜視図であり、図１（ａ）はモニタ４が視聴位置にあるときを示しており、図１（ｂ）はモニタ４が引き出し位置にあるときを示している。実施の形態１に係るモニタ装置１は、例えば、車輌などの移動体に搭載されたナビゲーション装置あるいはオーディオ機器のモニタ装置であって、モニタ４が、図１（ａ）に示すように、装置本体２の前面３に配置される視聴位置と、図１（ｂ）に示すように、傾動しながら装置本体２の前面３から前方に突出した突出位置との間で移動可能である。
【００１２】
また、装置本体２の前面３には、ＣＤあるいはＤＶＤなどのディスクを挿入する挿入口３ａと、スライド部材５が装置本体２の前面３から前方に出入りする開口部３ｂが設けられている。モニタ装置１においては、スライド部材５のスライドに応じてモニタ４が傾動しながら突出位置にくることで前面３の挿入口３ａが外部に露出する。これにより、上記ディスクを挿入または取り出しすることが可能となる。
【００１３】
図２は、実施の形態１に係るモニタ装置におけるモニタ移動機構の構成（モニタ４は突出位置）を示す斜視図である。図３は、図２のモニタ装置の側面図である。また、図４は、実施の形態１に係るモニタ装置におけるモニタ移動機構の構成（モニタ４は視聴位置）を示す斜視図である。図５は、メインシャーシ上に設置されるモータユニットを示す斜視図である。図２に示すように、装置本体２内に設けたメインシャーシ６は、モニタ装置１の内部構造物を配置するベースとなるシャーシである。このメインシャーシ６は板金などの導電性の材料で構成されており、モニタ装置１を取り付ける際に接地される。
【００１４】
また、メインシャーシ６には、スライド部材５のスライド機構を構成するモータユニット７が配置されている。例えば、図５（ａ）に示す従来のモータユニット７は、モータ７ａ、モータ軸に取り付けられたウォーム７ｂ、取り付けシャーシ８に回転自在に取り付けられてウォーム７ｂにかみ合うウォームホイール７ｃ、および板金製のモータ付勢板バネ部材１２を備えている。
【００１５】
取り付けシャーシ８は、メインシャーシ６に取り付けられ、複数のピニオンからなる動力伝達機構９のピニオンにウォームホイール７ｃが噛み合っている。また、動力伝達機構９のピニオンは、スライド部材５のラック５ａにも噛み合っている。これにより、モータ７ａの回転力は、ウォーム７ｂ、ウォームホイール７ｃ、動力伝達機構９に伝達されて、ラック５ａを介してスライド部材５の前後方向の駆動力に変換される。
【００１６】
なお、モータ付勢板バネ部材１２は板バネ部１２ａを有する。モータ７ａのモータ軸には、ウォーム７ｂを介してモータ軸方向に荷重が発生するため、板バネ部１２ａの弾性力によってモータ軸方向の動きを規制している。
【００１７】
スライド部材５は、上述したように装置本体２の前面３から出入り自在にスライドし、板金などの導電性の材料で構成される。また、スライド部材５のモニタ４側の端部には、左右にリンク部１０が設けられており、図３に示すように、リンク部１０の先端部は、モニタ４の左右両側の下部に軸１１周りに回転自在に連結されている。さらに、リンク部１０は板金などの導電性の材料で構成されており、スライド部材５は、このリンク部１０を介してモニタ４のグランド（接地電位）と電気的に接続されている。従って、スライド部材５をメインシャーシ６に導通させることで、モニタ４のグランドラインを確保することができる。
【００１８】
ガイド部材１０ａは、スライド部材５と同様に、装置本体２の前面３から前方に出入りする。また、ガイド部材１０ａの先端部は、モニタ４の左右両側の上部に軸１０ｂ周りに回転自在に連結されている。さらに、ガイド部材１０ａの左右両側の基部は、メインシャーシ６に軸支されている。これにより、スライド部材５のスライドに応じてモニタ４が前方向に移動すると、ガイド部材１０ａが前方向に倒れるように回転し、図３に示す位置になる。このとき、モニタ４は後ろ側に倒れるように傾動する。またモニタ４が後ろ方向に移動すると、ガイド部材１０ａが後ろ方向に立ち上がるように回転して、図４に示す位置になる。このとき、モニタ４は前面３に立った状態となる。
【００１９】
従来のモニタ装置では、スライド部材に設けられた板バネをメインシャーシに当接させてモニタのグランドラインを確保していた。この板バネは、スライド部材の装置本体内部側の部分に設けられており、スライド部材が装置本体の前面から突出した状態においてもメインシャーシに当接していた。この構造では、スライド部材のスライドに応じて板バネもメインシャーシに接触しながらスライドすることになるため、板バネがメインシャーシに擦れて異音が発生しないようにグリスなどの潤滑剤を塗布する必要があった。
【００２０】
そこで、実施の形態１では、図５（ｂ）に示すように、モニタ４が視聴位置にあるときに、装置本体２内の構造物を収容する導電性のメインシャーシ６とスライド部材５との間を電気的に接続する板バネ部１２ｂを設ける。
板バネ部１２ｂは、スライド部材５がスライド中または装置本体２の前面から突出した状態（モニタ４が移動中または突出位置にあるとき）であるときにはメインシャーシ６とスライド部材５との間を電気的に接続せず、モニタ４が視聴位置にあるときにのみ両者に当接して電気的に接続する接地部材である。
このような接地部材を設けることで、スライド部材５またはメインシャーシ６との接点が摺動しないため潤滑剤の塗布が不要であり、潤滑剤に起因する接触の不安定が解消する。
これにより、モニタ４のグランドラインを的確に確保することが可能となる。
【００２１】
また、モータユニット７は、図２に示したように装置本体２の内部で前面３に近い位置にあり、図５（ａ）に示したような板金製のモータ付勢板バネ部材１２を元々備えている。
そこで、実施の形態１では、モータ付勢板バネ部材１２に対して図５（ｂ）に示すような板バネ部１２ｂを新たに追加する。この板バネ部１２ｂが、モニタ４が視聴位置にあるときにのみ両者に当接して電気的に接続する板バネ部材として機能する。
このようにすることで、既存の構造物を利用してモニタ４が視聴位置にあるときに選択的にスライド部材５とメインシャーシ６の導通をとることができ、本発明を適用する際に必要な構成上の変更を極力低減することができる。
【００２２】
図６および図７を用いて板バネ部１２ｂの機能を説明する。
モータユニット７をメインシャーシ６に取り付けると、板バネ部１２ｂの先端部が、図６に示すようにメインシャーシ６に当接する。このとき、板バネ部１２ｂは、スライド部材５がスライド中または装置本体２の前面から突出した状態では当接していない。
一方、スライド部材５が後方にスライドしてモニタ４が視聴位置になると、図７に示すように、板バネ部１２ｂは、先端部がメインシャーシ６に当接したままスライド部材５に当接する。このとき、弾性力によって、板バネ部１２ｂはスライド部材５を圧接した状態となる。このようにしてスライド部材５とメインシャーシ６との導通を確実にとることができる。
【００２３】
モニタ４の接地不良で発生するノイズがモニタ４の表示に影響を与えることが問題であり、モニタ４が突出位置にあってディスクを挿抜するタイミングでは、上記ノイズの影響は現れない。本発明では、モニタ４が移動中あるいはモニタ４が突出位置にあるときは、あえてモニタ４を接地せず、上記ノイズの影響が現れるモニタ４が視聴位置にあるときにのみ、スライド部材５とメインシャーシ６との導通をとってモニタ４を接地している。
【００２４】
以上のように、この実施の形態１によれば、モニタ４が移動中または突出位置にあるときは、装置本体２内のメインシャーシ６とスライド部材５との間を電気的に接続せず、モニタ４が視聴位置にあるときに、メインシャーシ６とスライド部材５との間を電気的に接続する板バネ部１２ｂを備える。特に、板バネ部１２ｂが、メインシャーシ６が収容する構造物であるモータユニット７に設けられ、モニタ４が視聴位置にあるときにスライド部材５に当接する。このように、板バネ部１２ｂは、モニタ４が視聴位置にあるときにのみ、メインシャーシ６とスライド部材５との間を電気的に接続するので、スライド部材５のスライドに応じて板バネ部１２ｂがメインシャーシ６上を摺動することがなく、潤滑剤が不要である。このため、安定したグランドラインの確保が可能である。
また、メインシャーシ６が収容する構造物であるモータユニット７に板バネ部１２ｂを設けることで、本発明を適用する際に必要な構成上の変更を極力低減することができる。
【００２５】
実施の形態２．
図８はこの発明の実施の形態２に係るモニタ装置におけるモニタ移動機構の構成を概略的に示す図である。図８において、スライド部材５はメインシャーシ６に対して矢印方向にスライドすることができる。板バネ部６ａは、メインシャーシ６に設けられ、モニタ４が視聴位置にあるときにスライド部材５に当接する板バネ部材である。
すなわち、板バネ部６ａは、スライド部材５がスライド中または装置本体２の前面から突出した状態（モニタ４が移動中または突出位置にあるとき）であるときはスライド部材５に当接せず、モニタ４が視聴位置にあるときにのみ両者に当接して電気的に接続する。
【００２６】
以上のように、この実施の形態２によれば、メインシャーシ６に設けられ、モニタ４が視聴位置にあるときにスライド部材５に当接する板バネ部６ａを設けた。
このように構成することで、スライド部材５のスライドに応じて板バネ部６ａがメインシャーシ６上を摺動することがなく、潤滑剤が不要であるため、安定したグランドラインの確保が可能である。
【００２７】
実施の形態３．
図９はこの発明の実施の形態３に係るモニタ装置におけるモニタ移動機構の構成を概略的に示す図である。図９において、スライド部材５はメインシャーシ６に対して矢印方向にスライドすることができる。板バネ部５ｂは、スライド部材５に設けられ、モニタ４が視聴位置にあるときにメインシャーシ６の片部６ｂに当接する板バネ部材である。
すなわち、板バネ部５ｂの先端部は、メインシャーシ６に当接しておらず、モニタ４が視聴位置にあるときのみ、メインシャーシ６の一部を切り起こした片部６ｂに当接する。
【００２８】
以上のように、この実施の形態３によれば、スライド部材５に設けられ、モニタ４が視聴位置にあるときにメインシャーシ６の片部６ｂに当接する板バネ部５ｂを備える。このように構成することでも、スライド部材５のスライドに応じて板バネ部５ｂがメインシャーシ６上を摺動することがなく、潤滑剤の塗布が不要であるため、安定したグランドラインの確保が可能である。
【００２９】
なお、本発明はその発明の範囲内において、各実施の形態の自由な組み合わせ、あるいは各実施の形態の任意の構成要素の変形、もしくは各実施の形態において任意の構成要素の省略が可能である。
【符号の説明】
【００３０】
１  モニタ装置、２  装置本体、３  前面、３ａ挿入口、３ｂ  開口部、４  モニタ、５  スライド部材、５ａ  ラック、５ｂ，６ａ，１２ａ，１２ｂ  板バネ部、６  メインシャーシ、６ｂ  片部、７  モータユニット、７ａ  モータ、７ｂ  ウォーム、７ｃ  ウォームホイール、８  取り付けシャーシ、９  動力伝達機構、１０ａ  ガイド部材、１０ｂ，１１  軸、１２  モータ付勢板バネ部材。
【図１】
2015145219.tif 000003
【図２】
2015145219.tif 000004
【図３】
2015145219.tif 000005
【図４】
2015145219.tif 000006
【図５】
2015145219.tif 000007
【図６】
2015145219.tif 000008
【図７】
2015145219.tif 000009
【図８】
2015145219.tif 000010
【図９】
2015145219.tif 000011